(57)【要約】【課題】大当たり遊技による出球の調整を図って、その出球や大当たり確率等を含む遊技機スペックを出球率を加味して設定する自由度を高め、しかも、大当たり遊技中の面白みを創出して遊技性の向上を図ることができる、パチンコ遊技機を提供する。【解決手段】大入賞口の開閉パターンが複数種類記憶され、各開閉パターンは、ラウンド数がそれぞれ同数に設定されると共に、１ラウンドの開始から最終ラウンドを終えるまでの大入賞口の開閉回数と開閉タイミングとが全ラウンドに亙ってそれぞれ同一に設定され、各開閉パターンのうち特定の開閉パターンに設定されている所定ラウンド目の開閉回数及び開閉タイミングは、前記特定の開閉パターンとは別の開閉パターンに設定されている所定ラウンド目の開閉回数及び開閉タイミングとは異なるように設定されている。【選択図】図５
2014061303.tif 000002
【特許請求の範囲】
【請求項１】
遊技盤に設けられた始動入賞口と、遊技盤に設けられた大入賞口を開閉する大入賞口装置と、始動入賞口への遊技球の入賞を契機に行われる大当たり抽選で当選した場合に、大当たり遊技として大入賞口を開放した後に規定数の遊技球の入賞又は規定時間の経過により大入賞口を閉塞して終了するラウンドを複数ラウンド継続させる開閉パターンとなるように大入賞口装置を制御する制御装置を備えたパチンコ遊技機において、
前記制御装置には前記大入賞口の開閉パターンが複数種類記憶されており、各開閉パターンは、ラウンド数がそれぞれ同数に設定されると共に、１ラウンドの開始から最終ラウンドを終えるまでの大入賞口の開閉回数と開閉タイミングとが全ラウンドに亙ってそれぞれ同一に設定され、
前記各開閉パターンのうち特定の開閉パターンに設定されている所定ラウンド目の開閉回数及び開閉タイミングは、前記特定の開閉パターンとは別の開閉パターンに設定されている所定ラウンド目の開閉回数及び開閉タイミングとは異なるように設定されていることを特徴とするパチンコ遊技機。
【発明の詳細な説明】
【技術分野】
【０００１】
本発明はパチンコ遊技機に関し、特に、大当たり抽選で当選して大入賞口を複数ラウンドに亙って開閉するパチンコ遊技機に関するものである。
【背景技術】
【０００２】
従来、主流のパチンコ遊技機では、始動入賞口への遊技球の入賞を契機に大当たり抽選が行われ、その抽選で当選した場合に、大当たり遊技として、大入賞口装置が作動して、通常は閉塞の大入賞口が複数ラウンド（例えば、１５Ｒ）に亙って開閉される。各ラウンドは大入賞口を開放した後に規定数（例えば、１０個）の遊技球の大入賞口への入賞又は規定時間（例えば、約３０秒）の経過により大入賞口を閉塞して終了し、このラウンドを複数ラウンド継続させる開閉パターンとなるように大入賞口装置が制御される。
【０００３】
通常、各ラウンドの規定時間は、全てのラウンドで一律に、しかも、遊技球を通常に連続発射した場合に当該ラウンド実行中に規定数の遊技球が大入賞口に入賞可能な（入賞し易い）時間に設定されている。故に、大当たり遊技で実行される大当たりラウンド数が一律の場合、開閉パターンも一律となり、遊技者は最終的に略一定数（例えば、大入賞口への遊技球の入賞１個について１０個の賞球がある場合、規定数＝１０個、大当たりラウンド数＝１５Ｒとした場合、１０×１０×１５＝１５００個）の出球を得られる。
【０００４】
ここで、大当たり抽選で当選した場合、大当たりラウンド数が異なるラウンド数（例えば、２Ｒと１５Ｒ）の中から択一的に選択されるパチンコ遊技機、１Ｒ目の大入賞口の最初の２回の開閉を短時間で行うダミー開閉とし、その後、同１Ｒ目の大入賞口の開閉を通常のように行って、複数ラウンド（例えば、１５Ｒ）実行するパチンコ遊技機が公知である。尚、特許文献２，３に記載のパチンコ遊技機では、遊技者が大当たり抽選の当選確率を変更することで、その当選確率に応じて大当たりラウンド数や規定時間が変更される。
【先行技術文献】
【特許文献】
【０００５】
【特許文献１】特開平９−１７３５４３号公報
【特許文献２】特開平９−２７１５６７号公報
【発明の概要】
【発明が解決しようとする課題】
【０００６】
従来、主流のパチンコ遊技機では、大当たり遊技において、各ラウンドの規定時間が、全てのラウンドで一律に、しかも、遊技球を通常に連続発射した場合に当該ラウンド実行中に規定数の遊技球が大入賞口に入賞可能な時間に設定されると、大当たりラウンド数を一律とする場合、開閉パターンも一律となって、大当たり遊技の結果得られる出球が略一定となり、つまり、大当たり遊技による出球の調整が困難で、その出球や大当たり確率等を含む遊技機スペックを出球率を加味して設定する自由度が低くなる。しかも、遊技者は大入賞口の開閉パターンが一律で変化がなく大当たり遊技による出球も略一定であると初めから判るため、この点でも、大当たり遊技中の面白みを創出することができない。
【０００７】
一方、１Ｒ目の大入賞口の最初の２回の開閉を短時間で行うダミー開閉とし、その後、同１Ｒ目の大入賞口の開閉を通常のように行って、複数ラウンド実行するパチンコ遊技機では、このダミー開閉が、大当たり遊技の開始にあたって演出効果を多少高めることができても、大当たり遊技による出球の調整には寄与しない。しかも、ダミー開閉を含む開閉パターンは１種類のみであるため、また、ダミー開閉は１Ｒ目の最初に行われるため、大当たり遊技中の面白みを大入賞口の開閉によって高めることは難しい。
【０００８】
本発明の目的は、大当たり抽選で当選した場合に実行する大入賞口の開閉パターンを、中盤で実行される所定回数のダミー開閉の開閉タイミングが共通の複数種類の開閉パターンであって、中盤の所定回数のダミー開閉が実行されるラウンドが異なる少なくとも２種類の開閉パターンを有する複数種類の開閉パターンの中から択一的に選択するようにして、大当たり遊技による出球の調整を図って、その出球や大当たり確率等を含む遊技機スペックを出球率を加味して設定する自由度を高め、しかも、大当たり遊技中の面白みを創出して遊技性の向上を図ることができる、パチンコ遊技機を提供することである。
【課題を解決するための手段】
【０００９】
本発明のパチンコ遊技機は、遊技盤に設けられた始動入賞口と、遊技盤に設けられた大入賞口を開閉する大入賞口装置と、始動入賞口への遊技球の入賞を契機に行われる大当たり抽選で当選した場合に、大当たり遊技として大入賞口を開放した後に規定数の遊技球の入賞又は規定時間の経過により大入賞口を閉塞して終了するラウンドを複数ラウンド継続させる開閉パターンとなるように大入賞口装置を制御する制御装置を備えたパチンコ遊技機において、前記制御装置には前記大入賞口の開閉パターンが複数種類記憶されており、各開閉パターンは、ラウンド数がそれぞれ同数に設定されると共に、１ラウンドの開始から最終ラウンドを終えるまでの大入賞口の開閉回数と開閉タイミングとが全て全ラウンドに亙ってそれぞれ同一に設定され、前記各開閉パターンのうち特定の開閉パターンに設定されている所定ラウンド目の開閉回数及び開閉タイミングは、前記特定の開閉パターンとは別の開閉パターンに設定されている所定ラウンド目の開閉回数及び開閉タイミングとは異なるように設定されていることを特徴としている。
【発明の効果】
【００１０】
本発明のパチンコ遊技機によれば、大当たり遊技による出球の調整を図って、その出球や大当たり確率等を含む遊技機スペックを出球率を加味して設定する自由度を高め、しかも、大当たり遊技中の面白みを創出して遊技性の向上を図ることができる。
【図面の簡単な説明】
【００１１】
【図１】パチンコ遊技機の正面図である。
【図２】遊技盤の正面図である。
【図３】パチンコ遊技機の制御系のブロック図である。
【図４】複数種類の開閉パターンの先頭側ラウンドのタイムチャートである。
【図５】複数種類の開閉パターンの中盤及び最後尾側ラウンドのタイムチャートである。
【図６】複数種類の開閉パターンでの入賞パターンを示すタイムチャートである。
【図７】メイン処理のフローチャートである。
【図８】始動口ＳＷ処理のフローチャートである。
【図９】特別図柄処理のフローチャートである。
【図１０】大当たり判定処理のフローチャートである。
【図１１】停止中処理のフローチャートである。
【図１２】大入賞口処理のフローチャートである。
【図１３】大入賞口処理のフローチャートである。
【図１４】ラウンド中開閉処理のフローチャートである。
【図１５】大当たり抽選用のテーブルである。
【図１６】大当たり図柄、開閉パターンの選択用のテーブルである。
【発明を実施するための形態】
【００１２】
以下、発明を実施するための形態について実施例に基づいて説明する。
【実施例】
【００１３】
図１、図２に示すように、パチンコ遊技機１には、遊技ホールに取付けられる外枠に開閉枠２が開閉自在に装着され、開閉枠２に開閉扉３が開閉自在に装着されている。開閉枠２には遊技盤４が装着され、その遊技盤４の前面側に遊技領域５が形成されている。開閉扉３には窓３ａが形成され、その窓３ａに透明板３ｂが装着され、その透明板３ｂにより遊技領域５の前側が覆われている。
【００１４】
開閉扉３の窓３ａの下側に、遊技球を貯留する貯留皿６と、遊技者が操作する発射ハンドル７が装着されている。発射ハンドル７が回動操作されると、貯留皿６から発射位置に導入された遊技球が発射され、ここで、貯留皿６に複数の遊技球が存在する場合には、例えば、複数の遊技球が約０．６秒間隔で連続発射される。発射された遊技球は、ガイドレール８で案内されて遊技領域５の上部に投入される。
【００１５】
図２、図３に示すように、遊技盤４には、多数の障害釘１０、始動入賞口装置１１、ゲート１２、第１大入賞口装置１３、第２大入賞口装置１４、普通入賞口１５、画像表示器１６、センタ役物１７が遊技領域５に装着され、遊技領域５外に遊技表示盤１８が装着され、遊技盤４の裏面側に制御装置２０が装着されている。
【００１６】
始動入賞口装置１１は、センタ役物１７の下側に配置され、所謂電チューを含む構成で、上始動入賞口１１ａ、下始動入賞口１１ｂ、下始動入賞口１１ｂを開閉する開閉部材１１ｃ、始動入賞口１１ａ，１１ｂに入賞した遊技球を検出する始動口ＳＷ１１ｄ、開閉部材１１ｃを開閉駆動する電チューソレノイド１１ｅを有する。開閉部材１１ｃは、左右対称の２つの短い羽根部材が盤面直角方向の軸回りに動作するように構成され、閉塞位置で下始動入賞口１１ｂへの遊技球の入賞を不可能にし、開放位置で下始動入賞口１１ｂへの遊技球の入賞を可能にする。尚、図２の開閉部材１１ｃは閉塞位置にある。
【００１７】
ゲート１２はセンタ役物１７の左側に配置され、このゲート１２を通過した遊技球を検出するゲートＳＷ１２ａが付設されている。ゲート１２を遊技球が通過することを契機に行われる抽選で当選した場合に、始動入賞口装置１１が作動して、通常は閉塞の下始動入賞口１１ｂが開閉するように開閉部材１１ｃを動作させる。
【００１８】
第１大入賞口装置１３は、始動入賞口装置１１の下側に配置され、第１大入賞口１３ａ、第１大入賞口１３ａを開閉する第１開閉部材１３ｂ、第１大入賞口１３ａに入賞した遊技球を検出する第１大入賞口ＳＷ１３ｃ、第１開閉部材１３ｂを開閉駆動する第１大入賞口ソレノイド１３ｄを有する。第１開閉部材１３ｂは、盤面平行方向の軸回りに動作するように構成され、閉塞位置で第１大入賞口１３ａへの遊技球の入賞を不可能にし、開放位置で第１大入賞口１３ａへの遊技球の入賞を可能にする。尚、図２の第１開閉部材１３ｂは開放位置にある。
【００１９】
第２大入賞口装置１４は、センタ役物１７の上部左部に設けられ、第２大入賞口１４ａ、第２大入賞口１４ａを開閉する第２開閉部材１４ｂ、第２大入賞口１４ａに入賞した遊技球を検出する第２大入賞口ＳＷ１４ｃ、第２開閉部材１４ｂを開閉駆動する第２大入賞口ソレノイド１４ｄを有する。第２開閉部材１４ｂは、盤面直角方向の軸回りに動作するように構成され、閉塞位置で第２大入賞口１４ａへの遊技球の入賞を不可能にし、開放位置で第２大入賞口１４ａへの遊技球の入賞を可能にする。尚、図２の第２開閉部材１４ｂは閉塞位置にある。
【００２０】
始動入賞口１１ａ，１１ｂへの遊技球の入賞を契機に行われる大当たり抽選で当選した場合に、大当たり遊技が発生し、第１，第２大入賞口装置１３，１４の一方が作動して、通常は閉塞の第１，第２大入賞口１３ａ，１４ａの一方が開閉するように第１，第２開閉部材１３ｂ，１４ｂの一方を動作させる。普通入賞口１５は複数設けられ、この普通入賞口１５に入賞した遊技球を検出する普通入賞口ＳＷ１５ａが付設されている。
【００２１】
画像表示器１６は、液晶ディスプレイからなり、センタ役物１７に大きく配置されている。この画像表示器１６には、主に、始動入賞口１１ａ，１１ｂへの遊技球の入賞を契機に行われる大当たり抽選に関する演出（例えば、演出図柄を用いた図柄変動や抽選結果）が表示され、大当たり遊技中には、大当たり遊技画面（例えば、大当たりに因んだ動画等）が表示される。センタ役物１７には、前記のように第２大入賞口装置１４と画像表示器１６が設けられ、また、種々の電飾も設けられている。
【００２２】
遊技表示盤１８は、遊技領域５の下部右側に前方へ向けて配置され、７セグメントの特別図柄表示器１８ａ、○×で表示する普通図柄表示器１８ｂ、４つの特別図柄保留ランプ１８ｃ、４つの普通図柄保留ランプ１８ｄを備え、これら表示器１８ａ〜１８ｄはＬＥＤを発光源としている。特別図柄表示器１８ａでは、始動入賞口１１ａ，１１ｂへの遊技球の入賞を契機に行われる大当たり抽選の結果が変動表示後に表示され、普通図柄表示器１８ｂでは、ゲート１２を遊技球が通過することを契機に行われる抽選の結果が変動表示後に表示される。
【００２３】
特別図柄表示器１８ａの変動表示中に、始動入賞口１１ａ，１１ｂに入賞した遊技球の数であって、特別図柄表示器１８ａの変動に供しない（後で大当たり抽選の結果が得られる）特別図柄の保留数が最大で４つまで保留され、特別図柄保留ランプ１８ｃには、その特別図柄の保留数が表示される。同様に、普通図柄表示器１８ｂの変動表示中に、ゲート１２を通過した遊技球の数であって、普通図柄表示器１８ｂの変動に供しない（後で抽選の結果が得られる）普通図柄の保留数が最大で４つまで保留され、普通図柄保留ランプ１８ｄには、その普通図柄の保留数が表示される。
【００２４】
発射ハンドル７を回動操作することで、発射され遊技領域５の上部に投入された遊技球は、複数の障害釘１０に当たって方向を変えながら落下して、入賞口１１ａ，１１ｂ，１３ａ，１４ａ，１５の何れかに入賞した場合、そこから遊技領域５外へ排出され、入賞口１１ａ，１１ｂ，１３ａ，１４ａ，１５の何れにも入賞しなかった場合には、最終的に、遊技領域５の下端部に形成されたアウト口１９から遊技領域５外へ排出される。
【００２５】
図３に示すように、制御装置２０は、メイン制御装置２１とサブ制御装置２５とで構成されている。メイン制御装置２１は、メイン制御基板２２にＣＰＵとＲＯＭとＲＡＭを備えて構成され、サブ制御装置２５は、払出制御基板２６、演出制御基板２７、画像制御基板２８、ランプ制御基板２９を備え、この複数の制御基板２６〜２９は夫々ＣＰＵとＲＯＭとＲＡＭを備えて構成されている。
【００２６】
メイン制御基板２２が、始動口ＳＷ１１ｄ、ゲートＳＷ１２ａ、第１大入賞口ＳＷ１３ｃ、第２大入賞口ＳＷ１４ｃ、普通入賞口ＳＷ１５ａから検出信号を受けて、また、払出制御基板２６から制御情報を受けて、電チューソレノイド１１ｅ、第１大入賞口ソレノイド１３ｄ、第２大入賞口ソレノイド１４ｄ、特別図柄表示器１８ａ、普通図柄表示器１８ｂ、特別図柄保留ランプ１８ｃ、普通図柄保留ランプ１８ｄを制御する。
【００２７】
払出制御基板２６は、メイン制御基板２２から制御情報を受けて、払出駆動モータ３０を制御し、入賞口１１ａ，１１ｂ，１３ａ，１４ａ，１５への遊技球の入賞１個について、入賞口１１ａ，１１ｂ，１３ａ，１４ａ，１５毎に設定された数の遊技球が貯留皿６に払い出される。演出制御基板２７は、メイン制御基板２２から制御情報を受けて、また、演出ボタン３１から入力信号を受けて、画像制御基板２８とランプ制御基板２９に夫々制御情報を出力する。例えば、演出ボタン３１は貯留皿６に設けられている。
【００２８】
画像制御基板２８は、演出制御基板２７から制御情報を受けて、画像表示器１６とスピーカ３２を制御し、ランプ制御基板２９は、演出制御基板２７から制御情報を受けて、主に画像制御基板２８による制御に同期させて、枠ランプ３３と盤ランプ３４と可動役物３５を制御する。例えば、スピーカ３２と枠ランプ３３は開閉扉３に設けられ、盤ランプ３４と可動役物３５は遊技盤４に設けられている。
【００２９】
ここで、メイン制御装置２１は、始動入賞口１１ａ，１１ｂへの遊技球の入賞を契機に行われる大当たり抽選で当選した場合に、大当たり遊技として第１，第２大入賞口１３ａ，１４ａの一方を開放した後に規定数（例えば、１０個）の遊技球の入賞又は規定時間の経過により第１，第２大入賞口１３ａ，１４ａの一方を閉塞して終了するラウンドを複数ラウンド継続させる開閉パターンとなるように第１，第２大入賞口装置１３，１４を制御するとともに、大当たり抽選の当選確率を確変抽選で落選した場合に所定の低確率（例えば、約１／３００）に設定し確変抽選で当選した場合に低確率よりも高い高確率（例えば、約１／３０）に設定する。
【００３０】
そして、メイン制御装置２１は、後述するように所定の条件が成立した場合に、第２大入賞口装置１４に対して実行可能で第２大入賞口１４ａを１又は複数回開閉する各ラウンドを複数ラウンド（例えば、１０ラウンド）に亙って実行する複数種類の開閉パターンであって、非確変用の非確変開閉パターンと確変用の確変開閉パターンとを有する複数種類の開閉パターンを記憶した開閉パターン記憶手段としてのＲＯＭを備えている。
【００３１】
この複数種類の開閉パターンは、実行される全ラウンドの数（１０ラウンド）が同一であり、先頭側の１又は複数ラウンドにおける所定回数（例えば、５回）の第２大入賞口１４ａの開閉タイミングを共通に設定されるとともに、少なくとも１つの同一ラウンドの規定時間を異ならせるように設定され、また、この先頭側の１又は複数ラウンド実行後に実行される中盤の所定回数（例えば、２回）の第２大入賞口１４ａのダミー開閉の開閉タイミングを共通に、且つ各ダミー開閉による開放時間（例えば、０．５秒）をダミー開閉以外の第２大入賞口１４ａの各開閉（他の開閉パターン）による開放時間よりも短くするように設定され、また、所定回数のダミー開閉後に実行される最後尾側の複数ラウンドの数（例えば、７）が全て同一であり、且つその最後尾側のラウンドの規定時間（例えば、約３０秒）を規定数（１０個）×２秒（＝２０秒）以上の時間に設定されている。
【００３２】
更に、メイン制御装置２１は、大当たり抽選で当選した場合にＲＯＭの中の何れかの開閉パターンを択一的に選択し、ここで、確変抽選で落選した場合にはＲＯＭの中から１つの非確変開閉パターンを選択し、確変抽選で当選した場合にはＲＯＭの中から１つの確変開閉パターンを選択し、選択された開閉パターンとなるように第２大入賞口装置１４を制御する。即ち、メイン制御装置２１は開閉パターン選択手段と開閉制御手段とを構成している。また、サブ制御装置２５は、メイン制御装置２１で確変開閉パターンが選択された場合、先頭側のラウンド実行中に規定数の遊技球が入賞したときに、確変抽選で当選したことを報知するように制御する。
【００３３】
尚、メイン制御装置２１では、第１大入賞口装置１３に対して実行可能で複数ラウンド（例えば、１０ラウンド）に亙って実行する標準開閉パターンがＲＯＭに記憶され、大当たり抽選で当選した場合に、非確変開閉パターンと確変開閉パターンが実行されない場合には、ＲＯＭの中から１つの標準開閉パターンが選択され、この標準開閉パターンとなるように第１大入賞口装置１３が制御される。
【００３４】
次に、複数種類の開閉パターンと、メイン制御装置２１が実行する処理・制御について詳細に且つ具体的に説明する。尚、「ラウンド」を適宜「Ｒ」と記載して以下説明する。
【００３５】
先ず、複数種類の開閉パターンは、その大当たりラウンド数が全て一律の１０Ｒであり、図４、図５にタイムチャートで示す１種類の非確変開閉パターンＡと、図４、図５にタイムチャートで示す５種類の確変開閉パターンＢ〜Ｆと、図示略の１種類の標準開閉パターンＧとを有し、夫々、各ラウンドの規定数が１０個、ラウンド間のインターバル時間が１．５秒に設定されている。
【００３６】
図４に示すように、非確変開閉パターンＡは、先頭側の１Ｒ〜３Ｒにおいて第２大入賞口１４ａを夫々２回開閉する１Ｒ，２Ｒと第２大入賞口１４ａを１回開閉する３Ｒとを有し、確変開閉パターンＢは、先頭側の１Ｒ〜３Ｒにおいて第２大入賞口１４ａを夫々２回開閉する１Ｒ，２Ｒと第２大入賞口１４ａを１回開閉する３Ｒとを有し、確変開閉パターンＣは、先頭側の１Ｒ〜３Ｒにおいて第２大入賞口１４ａを２回開閉する１Ｒと第２大入賞口１４ａを１回開閉する２Ｒと第２大入賞口１４ａを２回開閉する３Ｒとを有する。
【００３７】
また、確変開閉パターンＤは、先頭側の１Ｒ〜３Ｒにおいて第２大入賞口１４ａを夫々１回開閉する１Ｒ，２Ｒと第２大入賞口１４ａを３回開閉する３Ｒとを有し、確変開閉パターンＥは、先頭側の１Ｒ，２Ｒにおいて第２大入賞口１４ａを１回開閉する１Ｒと第２大入賞口１４ａを４回開閉する２Ｒとを有し、確変開閉パターンＦは、先頭側の１Ｒにおいて第２大入賞口１４ａを５回開閉する（１Ｒを有する）。
【００３８】
この開閉パターンＡ〜Ｆにおいて、先頭側のラウンドにおける５回の第２大入賞口１４ａの開閉のうち、最後尾の第２大入賞口１４ａの開閉を除く第２大入賞口１４ａの各開閉による開放時間；３秒は、規定数；１０（個）×１／５秒＝２秒以上且つ規定数；１０（個）×４／５秒＝８秒以下の時間に設定されるとともに、最後尾の第２大入賞口１４ａの開閉による開放時間；６秒は、前記２秒以上且つ８秒以下の時間に設定され、また、先頭側の複数回開閉するラウンドの各開閉による閉塞時間は１．５秒に設定されている。
【００３９】
このように、非確変開閉パターンＡと確変開閉パターンＢ〜Ｆは、先頭側における５回の第２大入賞口１４ａの開閉タイミング（但し、厳密には規定数の遊技球が入賞しない場合の開閉タイミング）を共通に設定され、ここで、複数回開閉するラウンドの規定時間（例えば、非確変開閉パターンＡの１Ｒの３秒＋３秒＝６秒）は第２大入賞口１４ａの総開放時間を規定するものとして、非確変開閉パターンＡと確変開閉パターンＣ〜Ｆは、少なくとも１つの同一ラウンドの規定時間を異ならせるように設定されている。
【００４０】
非確変開閉パターンＡは、先頭側の第２大入賞口１４ａを夫々２回開閉する１Ｒ，２Ｒの規定時間；６秒を、また、確変開閉パターンＢは、先頭側の第２大入賞口１４ａを夫々２回開閉する１Ｒ，２Ｒの規定時間；６秒を、また、確変開閉パターンＣは、先頭側の第２大入賞口１４ａを２回開閉する１Ｒの規定時間；６秒と２回開閉する３Ｒの規定時間；９秒を、夫々、規定数；１０（個）×１秒＝１０秒未満の時間に設定したものである。
【００４１】
確変開閉パターンＤは、先頭側の第２大入賞口１４ａを３回開閉する３Ｒの規定時間；１２秒を、また、確変開閉パターンＥは、先頭側の第２大入賞口１４ａを４回開閉する２Ｒの規定時間；１５秒を、また、確変開閉パターンＦは、先頭側の第２大入賞口１４ａを５回開閉する１Ｒの規定時間；１８秒を、夫々、規定数；１０（個）×１秒＝１０秒以上の時間に設定したものである。
【００４２】
また、図５に示すように、非確変開閉パターンＡと確変開閉パターンＢ〜Ｄは、先頭側の１〜３Ｒの実行後に実行される中盤の４Ｒの第２大入賞口１４ａの先頭の２回の各ダミー開閉による開放時間；０．５秒を、また、確変開閉パターンＥは、先頭側の１Ｒ，２Ｒの実行後に実行される中盤の３Ｒの第２大入賞口１４ａの２回の各ダミー開閉による開放時間；０．５秒を、また、確変開閉パターンＦは、先頭側の１Ｒの実行後に実行される中盤の２Ｒ，３Ｒの第２大入賞口１４ａの２回の各ダミー開閉による開放時間；０．５秒を、夫々、規定数；１０（個）×１／５秒＝２秒未満の時間に設定したものである。
【００４３】
このように、複数種類の開閉パターンＡ〜Ｆは、所定回数のダミー開閉が実行されるラウンドが異なるラウンドとなる３種類の開閉パターンを有し、また、所定回数のダミー開閉が１ラウンドで実行される開閉パターンと複数ラウンドに亙って実行される開閉パターンとを有する。尚、ダミー開閉が実行される開閉パターンが特定の開閉パターンに相当し、ダミー開閉が実行される開閉パターン以外が別の開閉パターンに相当する。
【００４４】
更に、非確変開閉パターンＡと確変開閉パターンＢ〜Ｄは、中盤の４Ｒの第２大入賞口１４ａのダミー開閉後に同４Ｒにおいて第２大入賞口１４ａの開閉を実行し、確変開閉パターンＥは、中盤の３Ｒの第２大入賞口１４ａのダミー開閉後に４Ｒに移行して第２大入賞口１４ａの開閉を実行し、確変開閉パターンＦは、中盤の２Ｒ，３Ｒの第２大入賞口１４ａのダミー開閉後に４Ｒに移行して第２大入賞口１４ａの開閉を実行し、そして、中盤の第２大入賞口１４ａのダミー開閉後に実行される最後尾側の４Ｒ〜１０Ｒの数；７が全て同一であり、且つその４Ｒ〜１０Ｒの規定時間；約３０秒を規定数；１０（個）×２秒＝２０秒以上の時間に設定したものである。
【００４５】
このように、複数種類の開閉パターンＡ〜Ｆは、所定回数のダミー開閉後の第２大入賞口１４ａの開閉をダミー開閉が実行されるラウンドと同じラウンドで続けて実行する開閉パターンとダミー開閉が実行されるラウンドの次のラウンドで実行する開閉パターンとを有する。
【００４６】
次に、メイン制御装置２１が実行する処理・制御について、図７〜図１４のフローチャートと図１５、図１６のテーブルに基づいて説明する。尚、この処理・制御を実行する為のプログラムと図１５、図１６のテーブルの関連情報は、メイン制御装置２１のＲＯＭに格納されている。
【００４７】
先ず、図７に示すように、メイン制御装置２１のメイン処理では、乱数更新処理（Ｓ１）、始動口ＳＷ処理（Ｓ２）、ゲートＳＷ処理（Ｓ３）、特別図柄処理（Ｓ４）、普通図柄処理（Ｓ５）、大入賞口処理（Ｓ６）、電チュー処理（Ｓ７）、賞球処理（Ｓ８）、出力処理（Ｓ９）が順次実行され、その後、Ｓ１０の初期値乱数の更新とＳ１１の変動パターン乱数の更新が繰り返し実行され、Ｓ１〜Ｓ９の処理については微小時間間隔毎の割込み処理にて実行される。
【００４８】
図８に示すように、Ｓ２の始動口ＳＷ処理では、始動口ＳＷ１１ｄがＯＮになった場合（Ｓ２０；Yes）、特別図柄の保留数Ｕが４未満の場合に（Ｓ２１；Yes）、保留数ＵがＵ＋１にインクリメントされ（Ｓ２２）、大当たり乱数、大当たり図柄乱数、リーチ乱数、変動パターン乱数が取得格納され（Ｓ２３）、リターンする。前記各乱数はＳ１の乱数更新処理において所定範囲内において逐次更新され、Ｓ２３では、始動口ＳＷ１１ｄがＯＮになった時に発生している乱数が取得格納される。
【００４９】
図９に示すように、Ｓ４の特別図柄処理では、大当たり中でない場合（Ｓ３０；No）、特別図柄が変動中でない場合に（Ｓ３１；No）、更に、特別図柄の保留数Ｕが１以上の場合に（Ｓ３２；Yes）、保留数ＵがＵ−１にディクリメントされ（Ｓ３３）、大当たり判定処理（Ｓ３４）が実行される。
【００５０】
図１０に示すように、Ｓ３４の大当たり判定処理では、Ｓ２３で取得格納された最も古い大当たり乱数の判定が行われ（Ｓ５０）、図１５に示すように、その大当たり乱数が、通常遊技状態の場合には１／３００の割合で大当たり特定乱数（例えば、「３」）と一致すると、確変遊技状態の場合には１／３０の割合で大当たり特定乱数（例えば、「３」、「７」、「３７」・・）と一致すると、大当たりと判定され、また、小当たり特定乱数（例えば、「０」、「５０」、「１００」・・）と一致すると、小当たりと判定される。
【００５１】
そして、大当たりの場合（Ｓ５１；Yes）、Ｓ２３で取得格納された最も古い大当たり図柄乱数の判定が行われ（Ｓ５２）、その大当たり図柄乱数に基づいて、大当たり図柄として７種類の大当たり図柄Ａ〜Ｇの何れかが選択されセットされ（Ｓ５３）、リターンする。Ｓ５３において大当たり図柄を選択する場合、図１６のテーブルを参照して、大当たり図柄Ａ〜Ｇの何れかが選択される。尚、図１６において、大当たり図柄乱数の範囲、各大当たり図柄Ａ〜Ｇが選択される割合等は一例を示したものである。
【００５２】
ここで、Ｓ２３、Ｓ５２等が確変抽選に相当し、大当たり図柄Ａが選択されると、確変抽選で落選して、当該大当たり遊技後に通常遊技状態が設定されて、大当たり抽選の当選確率が低確率の１／３００になり、大当たり図柄Ｂ〜Ｇの何れかが選択されると、確変抽選で当選して、当該大当たり遊技後に確変遊技状態が設定されて、大当たり抽選の当選確率が高確率の１／３０になる。
【００５３】
また、図１６に示すように、大当たり図柄Ａが選択されることで、その大当たり図柄Ａに対応する開閉パターンＡが選択され、大当たり図柄Ｂ〜Ｇの中の１つが選択されることで、大当たり図柄Ｂ〜Ｆに夫々対応する開閉パターンＢ〜Ｇの中の１つが選択される。つまり、Ｓ２３、Ｓ５２、Ｓ５３等が開閉パターン選択手段に相当する。
【００５４】
一方、Ｓ５１；No、つまり、大当たりでない場合、大当たり図柄乱数に基づいて、小当たりの場合には（Ｓ５４；Yes）、小当たり図柄がセットされ（Ｓ５５）、小当たりでない場合には（Ｓ５４；No）、ハズレ図柄がセットされ（Ｓ５６）、リターンする。
【００５５】
図９に示すように、Ｓ３４の大当たり判定処理の後、変動パターン選択処理（Ｓ３５）が実行されて、Ｓ２３で取得格納された大当たり乱数、大当たり図柄乱数、リーチ乱数、変動パターン乱数等に基づいて変動パターンが選択され、その変動パターンコマンドがセットされ（Ｓ３６）、特別図柄表示器１８ａで特別図柄の変動が開始され（Ｓ３７）、その変動時間の計測が開始され（Ｓ３８）、リターンする。尚、Ｓ３６でセットされたコマンド、また、後の説明でセットされるコマンドは、図７のＳ９の出力処理において、サブ制御装置２５に出力される。
【００５６】
一方、Ｓ３１；Yes 、つまり、特別図柄が変動中の場合、Ｓ３８から計測開始された変動時間が所定時間に達して、変動時間終了の場合には（Ｓ３９；Yes）、変動停止コマンドがセットされ（Ｓ４０）、特別図柄表示器１８ａで特別図柄が変動停止されて（Ｓ４１）、Ｓ５３、Ｓ５５、Ｓ５６でセットされた図柄が抽選結果として表示され、変動時間がリセットされ（Ｓ４２）、停止中処理（Ｓ４３）が実行されて、リターンする。
【００５７】
図１１に示すように、Ｓ４３の停止中処理では、当たりでない場合（Ｓ６０；No）、時短回数Ｊが０でない場合には（Ｓ６１；No）、その時短回数ＪがＪ−１にディクリメントされ（Ｓ６２）、その後、時短回数Ｊが０になると（Ｓ６３；Yes）、通常遊技状態がセットされ（Ｓ６４）、リターンする。尚、時短回数Ｊが０でない場合には、確変遊技状態又は時短遊技状態がセットされており、これらの遊技状態では、通常遊技状態のときよりも、普通図柄の変動時間が短く、且つ、下始動入賞口１１ｂを開放する時間が長くなる。
【００５８】
一方、Ｓ６０；Yes 、つまり、当たりの場合、小当たりでない場合には（Ｓ６５；No）、確変遊技状態設定処理（Ｓ６６）が実行され、大当たり開始コマンドがセットされ（Ｓ６７）、大当たりが開始され（Ｓ６８）、リターンする。Ｓ６５；Yes、つまり、小当たりの場合、小当たり開始コマンドがセットされ（Ｓ６９）、小当たりが開始され（Ｓ７０）、リターンする。
【００５９】
大当たりが開始されると、７種類の開閉パターンＡ〜Ｇの中から択一的に選択された開閉パターンとなるように、第１，第２大入賞口装置１３，１４の一方が作動する。また、小当たりは大当たりに属するものではなく、小当たりが開始されると、第１，第２大入賞口１３ａ，１４ａの一方が数回（例えば、２回）開閉するように、第１，第２大入賞口装置１３，１４の一方が作動する。
【００６０】
次に、図１２に示すように、Ｓ６の大入賞口処理では、大当たり中の場合に（Ｓ８０；Yes）、その大当たりの最初に第１，第２大入賞口１３ａ，１４ａの一方が開放する前のオープニング中の場合（Ｓ８１；Yes）、更に、そのオープニング時間が経過した場合（Ｓ８２；Yes）、Ｓ８３へ移行する。Ｓ８２；Noの場合、つまり、オープニング時間が経過していない場合には、リターンする。
【００６１】
一方、Ｓ８１；No、つまり、オープニング中でない場合、図１３に示すように、第１，第２大入賞口１３ａ，１４ａの一方が開放中でない場合に（Ｓ９７；No）、大当たりの最後に第１，第２大入賞口１３ａ，１４ａの一方が閉塞した後のエンディング中でない場合（Ｓ９８；No）、更に、ラウンド間のインターバル時間が経過した場合（Ｓ９９；Yes）、Ｓ８３へ移行する。
【００６２】
図１２に示すように、Ｓ８３では、ＲがＲ＋１にインクリメントされる。尚、このＲは大当たり開始時には０にリセットされている。次に、図１０のＳ５３でセットされ大当たり図柄に応じて選択された開閉パターンについて、メイン制御装置２０のＲＯＭに記憶された開閉パターンの情報から、そのＲを実行する大入賞口装置（第１，第２大入賞口装置１３，１４の何れか）を特定する情報と、そのＲの規定時間と、そのＲ中の大入賞口１３ａ，１４ａの開閉回数及び各開放時間が取得され（Ｓ８４）、特定された第１，第２大入賞口装置１３，１４の一方が作動して、第１，第２大入賞口１３ａ，１４ａの一方が開放され（Ｓ８５）、Ｓ８６へ移行する。
【００６３】
例えば、図４に示す開閉パターンＡの場合、第２大入賞口装置１４で実行されて、その１Ｒ目の規定時間が約６秒になり、１Ｒ中の第２大入賞口１４ａの開閉回数が２回になり、１Ｒ中の第２大入賞口１４ａの各開放時間が３秒になる。一方、第１，第２大入賞口１３ａ，１４ａの一方が開放中の場合（Ｓ８１；No、図１３のＳ９７；Yes）にも、Ｓ８６へ移行する。
【００６４】
Ｓ８６では、ラウンド中開閉処理が実行され、図１４に示すように、このラウンド中開閉処理では、Ｓ８４で取得された開放パターンの情報に基づいて、先ず、実行中のＲについて、第２大入賞口１４ａが複数回開閉するラウンドか否か判定され（Ｓ１００）、Ｓ１００；Noの場合、リターンする。Ｓ１００；Yesの場合、第２大入賞口１４ａが開放中か否か判定され（Ｓ１０１）、Ｓ１０１；Yesの場合、第２大入賞口１４ａの開放が最終開放か否か判定され（Ｓ１０２）、Ｓ１０２；Yesの場合、リターンする。
【００６５】
Ｓ１０２；Noの場合、現在の第２大入賞口１４ａの開放について、設定開放時間経過したか否か判定され（Ｓ１０３）、Ｓ１０３；Noの場合、リターンし、Ｓ１０３；Yesの場合、第２大入賞口１４ａが閉塞され（Ｓ１０４）、リターンする。一方、Ｓ１０１；Noの場合、第２大入賞口１４ａが閉塞中か否か判定され（Ｓ１０５）、Ｓ１０５；Noの場合、リターンし、Ｓ１０５；Yesの場合、現在の第２大入賞口１４ａの閉塞について、設定閉塞時間経過したか否か判定され（Ｓ１０６）、Ｓ１０６；Noの場合、リターンし、Ｓ１０６；Yesの場合、第２大入賞口１４ａが開放され（Ｓ１０７）、リターンする。
【００６６】
図１２に示すように、Ｓ８６のラウンド中開閉処理の後、Ｓ８７において、第１，第２大入賞口１３ａ，１４ａの一方の開放時から、Ｓ８４で取得された規定時間経過した否か判定され、Ｓ８７；Noの場合、Ｓ８８において、このＲで入賞した遊技球数Ｃが規定入賞数の１０個であるか否か判定され、Ｓ８８；Noの場合、リターンする。Ｓ８７とＳ８８の何れかが肯定判定された場合（Ｓ８７；Yes又はＳ８８；Yes）、開放している第１，第２大入賞口１３ａ，１４ａが閉塞される（Ｓ８９）。
【００６７】
次に、現在のＲ（Ｓ８３で更新されたＲ）が最大Ｒ（１０Ｒ）であるか否か判定され（Ｓ９０）、Ｓ９０；Noの場合、リターンし、Ｓ９０；Yesの場合、Ｒが０にリセットされ（Ｓ９１）、エンディングが開始され（Ｓ９２）、Ｓ９３へ移行する。一方、エンディング中の場合（Ｓ８１；No、図１３のＳ９７；No、図１３のＳ９８；Yes）にも、Ｓ９３へ移行する。Ｓ９３では、エンディング時間が経過した否か判定され、Ｓ９３；Noの場合、リターンし、Ｓ９３；Yesの場合、大当たりが終了して（Ｓ９４）、リターンする。
【００６８】
一方、Ｓ８０；Noの場合、小当たり中でない場合（Ｓ９５；No）、リターンし、小当たり中の場合（Ｓ９５；Yes）、小当たり処理（Ｓ９６）が実行され、リターンする。このように、大当たりに当選した場合には、複数種類の開閉パターンＡ〜Ｇの中から選択された開閉パターンで大入賞口１３ａ，１４ａの一方が開閉される。つまり、この大入賞口処理の主要ステップが、開閉パターン選択手段で選択された開閉パターンとなるように大入賞口装置を制御する開閉制御手段に相当する。
【００６９】
ここで、遊技球が遊技領域５に０．６秒間隔おきに連続発射された場合、開放中の第２大入賞口１４ａに遊技球が約１秒に１個入賞するものとして、開閉パターンＡ〜Ｆの夫々での第２大入賞口１４ａへの遊技球の入賞パターンは図６に示すようになる。即ち、開閉パターンＡ〜Ｃでは、夫々、１Ｒ〜３Ｒの実行中に第２大入賞口１４ａに規定数の遊技球が入賞しにくく、１Ｒ〜３Ｒで約１８個の遊技球が入賞する。
【００７０】
一方、開閉パターンＤでは、先頭側の３Ｒの実行中に第２大入賞口１４ａに規定数の遊技球が入賞し易く、１Ｒ〜３Ｒで約１６個の遊技球が入賞し、開閉パターンＥでは、先頭側の２Ｒの実行中に第２大入賞口１４ａに規定数の遊技球が入賞し易く、１Ｒ，２Ｒで約１３個の遊技球が入賞し、開閉パターンＦでは、先頭側の１Ｒの実行中に第２大入賞口１４ａに規定数の遊技球が入賞し易く、１Ｒで約１０個の遊技球が入賞する。
【００７１】
このように、開閉パターンＡ〜Ｆによって、先頭側のラウンド実行中に第２大入賞口１４ａに入賞する遊技球の数が異なり、また、第２大入賞口１４ａへの規定数の遊技球の入賞し易さが異なるようになる。尚、上記入賞パターンについては、実際は、障害釘１０や遊技球の発射速度等の関係でランダム性が生じ、図６では規定数の遊技球が入賞しないラウンドで規定数の遊技球が入賞する可能性もある。
【００７２】
一方、サブ制御装置２５が、開閉パターン選択手段で確変開閉パターンが選択された場合、先頭側のラウンド実行中に規定数の遊技球が入賞したときに、確変抽選で当選したことを報知するように制御する報知制御手段に相当する。サブ制御装置２５は、この報知制御及び報知制御に付随する報知前演出制御を、先頭側のラウンド実行中に第２大入賞口１４ａに入賞した遊技球の数の情報をメイン制御装置２１から受けて実行する。その具体例は次の通りである。
【００７３】
開閉パターンＡ〜Ｆの何れの開閉パターンが選択された場合でも、先ず、１Ｒ目から勝敗や優劣等が決まる報知前演出が、主に画像表示器１６を用いて、また、スピーカ３２から効果音を発しながら行われ、第２大入賞口１４ａへの遊技球の入賞、時間経過、ラウンドの更新等に基づいて、勝敗や優劣等のレベルが高低に変動表示される。そして、開閉パターンＤ〜Ｆの場合には、規定数の遊技球が第２大入賞口１４ａへ入賞し易いため、その規定数の遊技球の入賞時に、勝敗や優劣等のレベルが最高レベルに達するかたちで表示されて、確変抽選で当選したことが報知される。
【００７４】
以上説明したパチンコ遊技機１によれば次の作用・効果を奏する。
始動入賞口１１ａ，１１ｂへの遊技球の入賞を契機に大当たり抽選が行われ、その抽選で当選した場合に、大当たり遊技が発生する。この場合、７種類の開閉パターンＡ〜Ｇの中の何れかの開閉パターンが択一的に選択され、大当たり遊技では、その開閉パターンとなるように第１，第２大入賞口装置１３，１４が制御される。
【００７５】
６種類の開閉パターンＡ〜Ｆの中の何れかの開閉パターンが択一的に選択されると、第２大入賞口装置１４が作動し、第２大入賞口１４ａが図４、図５に示すように開閉される。ここで、６種類の開閉パターンＡ〜Ｆは、先頭側の１又は複数ラウンドにおける５回の第２大入賞口１４ａの開閉タイミングが共通であるため、遊技者は、この開閉動作を見る限り、大当たり遊技当初から、何れの開閉パターンが実行されているか判別できない。
【００７６】
また、第２大入賞口装置１４が作動する場合、特別図柄表示器１８ａに表示する大当たり図柄Ａ〜Ｆの表示パターンを全体的に複雑にすることで、遊技者は、特別図柄表示器１８ａを見て、大当たり図柄Ａ〜Ｆの何れが表示されたか、つまり、大当たり図柄Ａ〜Ｆに夫々対応する開閉パターンＡ〜Ｆの何れが選択されたか判別することが困難であり、また、確変抽選での当選有無についても判別することが困難である。
【００７７】
遊技者は、大当たりしたことを、主に画像表示器１６に表示された大当たり表示から認識し、第１，第２大入賞口装置１３，１４の一方が作動して、開閉する第１，第２大入賞口１３ａ，１４ａの一方に遊技球を入賞させるべく遊技球を連続発射させる。
【００７８】
ここで、第２大入賞口装置１４が作動する場合、先頭側の１又は複数ラウンドにおいて、前記のように、例えば、画像表示器１６を用いて、確変抽選での当選有無の報知及びそれに付随する報知前演出が行われる。そして、開閉パターンＤ〜Ｆの何れかが選択されている場合には、先頭側のラウンド実行中に、規定数の遊技球が入賞し易く、その規定数の遊技球の入賞時に、確変抽選で当選したことが報知されるので、遊技者は歓喜する。
【００７９】
一方、開閉パターンＡ〜Ｃの何れかが選択されている場合には、先頭側のラウンド実行中に、規定数の遊技球が入賞しにくく、確変抽選で当選していても、その旨報知されないので、遊技者は落胆する。しかし、開閉パターンＢ，Ｃの何れかが選択されている場合には、確変抽選で当選したことが報知されないだけであり、つまり、確変抽選で当選したことが報知されなくても、確変抽選で当選した可能性があるため、遊技者はその点で期待を持つことができ、但し、実際に確変抽選で当選していない場合も含まれる。
【００８０】
このパチンコ遊技機１によれば、複数種類の開閉パターンＡ〜Ｆは、中盤で実行される所定回数のダミー開閉では実質出球を得られないようにして、この中盤のダミー開閉前の先頭側とダミー開閉後の最後尾側とで夫々実行されるラウンドでは出球を得られる特有の開閉パターンとなり、開閉パターンＡ〜ＤとＥとＦは、中盤の所定回数のダミー開閉が実行されるラウンドが異なるため、先頭側のラウンド数を異ならせることができ、この複数種類の開閉パターンＡ〜Ｆは、中盤の所定回数のダミー開閉を利用して、先頭側と最後尾側とで夫々実行されるラウンド数を調整して、大当たり遊技による出球の調整を図って、その出球や大当たり確率等を含む遊技機スペックを出球率を加味して設定する自由度を高め、しかも、大当たり遊技中の面白みを創出して遊技性の向上を図ることができる。
【００８１】
複数種類の開閉パターンＡ〜Ｆは、所定回数のダミー開閉後の第２大入賞口１４ａの開閉をダミー開閉が実行されるラウンドと同じラウンドで続けて実行する開閉パターンＡ〜Ｄとダミー開閉が実行されるラウンドの次のラウンドで実行する開閉パターンＥ，Ｆとを有するので、これらの開閉パターンＡ〜ＤとＥとＤが、所定回数のダミー開閉が実行されるラウンドが異なるものになって、中盤で実行される所定回数のダミー開閉によって、先頭側と最後尾側とで夫々実行されるラウンド数を調整することができる。
【００８２】
複数種類の開閉パターンＡ〜Ｆは、所定回数のダミー開閉が１ラウンドで実行される開閉パターンＡ〜Ｅと複数ラウンドに亙って実行される開閉パターンＦとを有するので、これらの開閉パターンＡ〜ＥとＦが、所定回数のダミー開閉が実行されるラウンドが異なるものになって、中盤で実行される所定回数のダミー開閉によって、先頭側と最後尾側とで夫々実行されるラウンド数を調整することができる。各ダミー開閉による開放時間（０．５秒）が規定数（１０個）×１／５秒（＝２秒）未満の時間に設定されたので、中盤で実行される所定回数のダミー開閉では実質出球を得られないようにすることができる。
【００８３】
複数種類の開閉パターンＡ〜Ｆは、先頭側のラウンドにおける第２大入賞口１４ａの開閉タイミングを共通に設定するとともに、少なくとも１つの同一ラウンドの規定時間を異ならせるように設定したものであるので、この先頭側のラウンドにおける出球を異ならせることができ、複数種類の開閉パターンＡ〜Ｆは、所定回数のダミー開閉後に実行される最後尾側の複数ラウンドの数が全て同一であり、且つその最後尾側のラウンドの規定時間（約３０秒）を規定数（１０個）×２秒（＝２０秒）以上の時間に設定したものであるので、最後尾側の複数ラウンドでは、規定数の遊技球を入賞させ易くすることができるので、最後尾側出球を一律とし、ここで大当たり遊技による所定数以上の出球を維持できる。
【００８４】
次に、前記実施例を部分的に変更した変形例について説明する。
（１）大当たりラウンド数を、７Ｒ〜９Ｒ、１１Ｒ〜１６Ｒの何れか等、種々のラウンド数に設定してもよい。
（２）中盤のダミー開閉の回数を、１回又は３回以上の回数にしてもよい。
（３）開閉パターンＡ〜Ｆを第１大入賞口装置１３が実行するようにしてもよい。また、開閉パターンＡ〜Ｆの少なくとも１つの開閉パターンを、第１，第２大入賞口装置１３，１４が協働して実行するようにしてもよい。例えば、先頭側のラウンドを第２大入賞口装置１４が実行し、中央盤及び最後尾側のラウンドを第１大入賞口装置１３が実行する。
【００８５】
その他、本発明の趣旨を逸脱しない範囲において、前記開示事項以外の種々の変更を付加して実施可能である。また、本発明は、大入賞口装置として１つの大入賞口しか設けていないパチンコ遊技機等、種々のパチンコ遊技機に適用できる。
【符号の説明】
【００８６】
１  パチンコ遊技機
４  遊技盤
１１ａ，１１ｂ  始動入賞口
１４  第２大入賞口装置
１４ａ  第２大入賞口
２０  制御装置
２１  メイン制御装置
２５  サブ制御装置
【図１】
2014061303.tif 000003
【図２】
2014061303.tif 000004
【図３】
2014061303.tif 000005
【図４】
2014061303.tif 000006
【図５】
2014061303.tif 000007
【図６】
2014061303.tif 000008
【図７】
2014061303.tif 000009
【図８】
2014061303.tif 000010
【図９】
2014061303.tif 000011
【図１０】
2014061303.tif 000012
【図１１】
2014061303.tif 000013
【図１２】
2014061303.tif 000014
【図１３】
2014061303.tif 000015
【図１４】
2014061303.tif 000016
【図１５】
2014061303.tif 000017
【図１６】
2014061303.tif 000018